(57)【要約】【課題】モアデッキの排草通路内で刈草が詰まった場合、草の除去が簡単に行える装置を提供する。【解決手段】左右方向に3枚の回転刈刃を並設し、左側回転刈刃４と中央回転刈刃５とを平面視で右廻りに回転させ、右側回転刈刃６を平面視で左廻りに回転させ、これら3枚の回転刈刃上方と外周囲をモーアデッキ１の上板２と立壁３で覆い、中央回転刈刃５と右側回転刈刃６が対向して回転する部位から後方へかけて排草通路１３を設け、この排草通路１３の下部に開閉式の底板１２７を設け、モーアデッキ１上の左右一側には前記底板１２７を開閉操作するレバー８２を設ける。【選択図】図７
2004000265.tif 000002
【特許請求の範囲】
【請求項１】
　左右方向に3枚の回転刈刃を並設し、左側方回転刈刃４と中央回転刈刃５とを平面視で右廻りに回転させ、右側方回転刈刃６を平面視で左廻りに回転させ、これら3枚の回転刈刃上方と外周囲をモーアデッキ１の上板２と立壁３で覆い、中央回転刈刃５と右側方回転刈刃６が対向して回転する部位から後方へかけて排草通路１３を設け、この排草通路１３の下部に開閉式の底板１２７を設け、モーアデッキ１上の左右一側には前記底板１２７を開閉操作するレバー８２を設けたことを特徴とするモーアの刈草排出装置。
【発明の詳細な説明】
【技術分野】
【０００１】
　この発明は、リヤーディスチャージタイプのモーアの刈草排出装置に関する。
【背景技術】
【０００２】
　移動農機の機体腹下部にモーアを昇降自在に取り付け、前進走行中に複数の回転刈刃を回転駆動し、地面に植わっている芝草や雑草を刈り取ってモーアデッキ後部の排草口から排草するものが知られている。
【０００３】
　刈草をモーアデッキの後部排草口から排出するものをリヤーディスチャージモーアというが、このリヤーディスチャージタイプのものとしては、特許文献１に記載するようなものが一般的である。
【０００４】
　この特許文献１に記載されたモーアは3枚の刈刃とこれらを覆うモーアデッキと、モーアデッキの幅方向の中間部から後方へ向けて突設された刈草排出部とを備えてなり、刈草排出部は筒状体で構成され、移動車両の機体後方上部側に向かってモーアデッキ後壁よりも後側に大きく突設されている。
【０００５】
　この従来例のように、刈草排出部の後端が斜め後方へ向けて大きく突出するとモーアデッキを吊上げる際に移動車両の機体を構成する主フレームに当たってしまう恐れがあり、モーアデッキの吊上げ量が制限されると共に、刈草排出部の放出角度によっては草が途中で詰まってしまう欠点が生じる。
【特許文献１】特開平１０−２８６０１６号公報
【発明の開示】
【発明が解決しようとする課題】
【０００６】
　解決しようとする問題点は、モーアデッキ内で回転している刈刃によって刈り取った芝や草が刈草排出部内において詰まった場合の清掃が簡単に行えないことである。
【課題を解決するための手段】
【０００７】
　この発明は、刈草の除去が簡単に行える装置を得ることを目的とし、以下のような技術的手段を講じた。
　即ち、左右方向に3枚の回転刈刃を並設し、左側方回転刈刃４と中央回転刈刃５とを平面視で右廻りに回転させ、右側方回転刈刃６を平面視で左廻りに回転させ、これら3枚の回転刈刃上方と外周囲をモーアデッキ１の上板２と立壁３で覆い、中央回転刈刃５と右側方回転刈刃６が対向して回転する部位から後方へかけて排草通路１３を設け、この排草通路１３の下部に開閉式の底板１２７を設け、モーアデッキ１上の左右一側には前記底板１２７を開閉操作するレバー８２を設けたことを特徴とする。
【発明の効果】
【０００８】
　この発明は、前記の如く構成したので、モーアデッキの排草通路内で刈草が詰まった場合には、モーアデッキの左右一側に設けたレバー８２を作業者が握って底板１２７を開閉操作して簡単に取り除くことができ、点検、清掃が容易になった。
【実施例１】
【０００９】
　図は、この発明の実施例であり、芝や草類を地表から刈り取るリヤディスチャージモーア８を、トラクター等の移動車両１７腹下部に昇降自在に取り付けたもので説明するが、移動車両１７の機体前部に取り付けても良い。この発明は、作業機であるリヤディスチャージモーア８における、モーアデッキ１の刈草搬出通路部に、この発明を折り込んだものであって、以下詳述する。
【００１０】
　移動車両１７は、図で示すように乗用四輪型のトラクターであり、機体下部にチャンネル材から成る前後方向の主フレーム１８，１８を左右一対前後方向に向けて配設している。主フレーム１８は前後方向中間部で溶接されており、後主フレーム１８ａを後車輪１９に接近するように左右間隔を広くしている。主フレーム１８，１８は、前方側でその間隔が幅狭に成っており、前方上部にエンジン２１が搭載されている。主フレーム１８の前方下部には、フロントアクスル２２をセンターピボット方式で左右揺動自在に取り付け、このフロントアクスル２２の端部には、キングピン２３を介して前車輪２０，２０を操舵自在に取り付けている。７８はステアリングハンドルであって、前車輪２０，２０を操舵する。また、左右の後主フレーム１８ａ，１８ａ間には、軸受を介在して後車軸２４を内装したリヤアクスル２５と、走行用伝動ケース２６が取り付けられて強度メンバーを構成している。そして、後車軸２４，２４の両端部に夫れ夫れ設けたホイルボス２７，２７に、後車輪１９，１９を取り付けている。
【００１１】
　左右の主フレーム１８，１８前端部間はサイドステーで左右連結され、後主フレーム１８ａ，１８ａ後端部には夫れ夫れ断面四角の支柱２８が、溶接やボルト止め等により上下方向直立状に配設されている。左右支柱２８の上部は、前後方向長さの異なる左右の補強枠２９，３０により、後主フレーム１８ａ上面との間を迂回連結して強度アップおよび整備性の向上を図っている。
【００１２】
　エンジン２１の外周はボンネット３１やサイドカバー３２等で覆われ、該ボンネット３１後部に前述したステアリングハンドル７８を上方に向けて突設している。そして、このサイドカバー３２の側方から、左右後車輪１９，１９間上方に設けた座席３３付きのフェンダー３４の前縁部間の空間部に、主フレーム１８又は後主フレーム１８ａに接近した状態に上面を覆って運転者の足を乗せるためのステップ３５を取り付けている。
【００１３】
　次に、動力伝動系について、簡単に説明する。エンジン２１はクランク軸を後下がりの前後方向としており、前方突出軸に駆動プーリー３６と、後方に機体走行用の第一ＰＴＯ軸３７を突設している。また、フロントアクスル２２の左右中間部を支持するセンターピボット軸３８の軸心方向を、クランク軸と略平行状とし、センターピボット軸３８前端部に従動プーリー３９を取り付け、センターピボット軸３８後端を作業機駆動用の第二ＰＴＯ軸４０として、後方に向けて突出している。駆動プーリー３６と従動プーリー３９間にはＶベルトやチェーン等の回転動力伝達具４１が巻廻されており、図示しないクラッチを介して第二ＰＴＯ軸４０の回転を入切操作している。
【００１４】
　リヤディスチャージモーア８の詳細については後述するが、モーアデッキ１の上板２左右方向中央上方に突設した伝動ケース４２の入力軸４３と、センターピボット軸３８後端を突出した作業機駆動用の第二ＰＴＯ軸４０の間は、自在継手４４を介して動力伝動を行なっている。リヤディスチャージモーア８は、左右一対づつ機体に前端部を軸着した前後リンク４５，４６の後端部に、モーアデッキ１の前後部を夫れ夫れ軸着しており、左の後リンク４６を昇降操作するリフトアーム４７とリフトリンク４８により、リヤディスチャージモーア８の昇降を行なう。４９は昇降用アクチュエータであって、図例は油圧シリンダー構成としており、主フレーム１８に一端を取り付けた油圧シリンダーを伸ばすと、軸５０を支点にリフトアーム４７の一端が動かされ、リフトアーム４７他端がリフトリンク４８を引き上げる。リヤディスチャージモーア８の前後には、下降時にデッキ１の高さを調節するゲージ車輪５１，５１．．が首振り自在に左右一対取り付けられており、デッキ１の高さ調節に伴い地表面の芝草の刈り残し高さを長短調節する。
【００１５】
　クランク軸後方に突出する第一ＰＴＯ軸３７は後車輪１９，１９を駆動するためのものであり、以下詳述する。後車軸２４の右側で後主フレーム１８ａ内方接近位置に、走行用伝動ケース２６がオフセットして取り付けられている。走行用伝動ケース２６の前部上方には、ポンプ５３とモータ５４である静油圧動力駆動伝達装置である所謂Ｈ．Ｓ．Ｔ装置を内装したＨＳＴケース５５が取り付けられている。５６は走行用入力軸であり、ＨＳＴケース５５の上部から前方に向かって突出しており、エンジン２１から後方に突出した第一ＰＴＯ軸３７との間に、走行用自在継手５７を取り付けて駆動力を伝達している。この走行用入力軸５６でポンプ５３を駆動しており、斜板の調節によりモータ５４を所要回転数に変速出力し、このモータ５４の回転を走行用伝動ケース２６内の各種歯車に伝達し、前後進や高低速等副変速を変更して、後車輪１９，１９を駆動し走行する。
【００１６】
　図例では、左右後車輪１９，１９上方から前方に亘って左右のフェンダー３４，３４で覆い、左右のフェンダー３４，３４間を壁面で連結したフロアカバー５８とし、フロアカバー５８上に座席３３を設けている。このフロアカバー５８で左右連結したフェンダー３４は、平行リンク的にピン軸着支持した左右一対の上下リンク５９，６０とダンパー６１によって、上昇位置と下降位置に位置規制状に保持される。通常作業や走行時にはフェンダー３４は下降位置に保持され、走行用伝動ケース２６廻りや後述するシュータ１６廻り等の内部点検時には、フェンダー３４とフロアカバー５８を大きく持ち上げた位置で保持している。
【００１７】
　左右支柱２８，２８の上端前方には支持金具６２，６２が溶接等で一体的に取り付けられ、支持金具６２の上下に二個所開口した取付孔の夫れ夫れに、上リンク５９の後端部は上の取付孔に、下リンク６０の後端部は下の取付孔に、夫れ夫れ上下揺動自在に取り付けている。また、左右支柱２８，２８間の後方には、ブロア６３を内挿したブロアケース６４が、ボルト，ナット等の締付具を介して一体に取り付けられている。また、ブロアケース６４前壁部から下部前方に向かって、後車軸２４下方に迂回して前方開口した吸気口６５を有する吸気筒６６を斜め下方に一体突設している。吸気口６５は正面視幅広の四角形状の開口であって、この吸気口６５内に、リヤディスチャージモーア８のモーアデッキ１後部の立壁３から後方突設する断面幅広の四角形状のシュータ１６の後端部が入り込んでいる。このシュータ１６は、モーアデッキ１の昇降に伴いシュータ１６も昇降するので、シュータ１６前部はモーアデッキ１後端部上に横軸心のヒンジ６７を介して上下揺動自在に取り付け、シュータ１６後端は前述した吸気口６５の周縁部で支持している。
【００１８】
　ブロアケース６４上方には搬送筒６８が上方に向かって突出しており、この搬送筒６８の先端部は、収納容器であるコレクタ６９の上部に突入し内方に開口している。また、ブロアケース６４の後壁面６４ａには、ブロア６３駆動用の伝動具を覆うカバーケース７０が取り付けられる。カバーケース７０内には、第一プーリ７１と第二プーリ７２が内装されている。そして、第一プーリ７１は、右側の後壁面６４ａから前方に突出する第一軸７３の後部に取り付けられている。第一軸７３は、走行用伝動ケース２６の後上方に突出する駆動軸７４との間を、駆動自在継手７５を介して伝動している。第二プーリ７２の取付軸前部にはブロア６３が取り付けられ、Ｖベルトやチェーン等の回転動力伝達具７６を介してブロア６３を回転している。ブロア６３の回転により吸気筒６６内は負圧となり、モーアデッキ１後部と吸気口６５間を連通するシュータ１６内も負圧となり、モーアデッキ１内の刈り取った芝草をブロア６３によって吸引し、搬送筒６８からコレクタ６９へ搬送する。吸引された芝草は、コレクタ６９に送りこまれ、満杯近くになると後半部の蓋体７７を開け、所定の場所に排出する。
【００１９】
　次に、主要部であるリヤディスチャージモーア８について説明する。前後車輪２０，１９のホイルベース間で主フレーム１８下方に、四本の前後リンク４５，４６．．を介して吊持されたリヤディスチャージモーア８は、モーアデッキ１の略平板状の上板２に対し、軸心方向を上下方向として進行方向最前位に設けた中央回転刈刃５の中央駆動軸１０１と、これを頂点とした略二等辺三角形状の両端左右を後位置とした、左側方回転刈刃４用の左側方駆動軸１０２と右側方回転刈刃６用の右側方駆動軸１０３の三本の駆動軸を並設している。
【００２０】
　夫れ夫れの駆動軸下方端部には、前述の各回転刈刃を夫れ夫れボルト等で取り付けた、横長刈り幅の草刈装置としており、各回転刈刃よりも下方まで垂下した立壁３によって、回転刈刃が回転時に生じる飛散小石や固形物の飛散を防止している。リヤディスチャージモーア８の一工程における刈り幅は、全体平面図で示すように、移動車両１７の最大幅よりも外側方へ突き出しており、左右側方回転刈刃４，６の回転軌跡は、夫れ夫れ前後車輪２０，１９よりも外方に突出している。また、夫れ夫れ隣合う左側方回転刈刃４と中央回転刈刃５と右側方回転刈刃６間の間隔は、回転時に互いに接当しない最小の間隙ｔを有して軸間距離を決めているが、中央回転刈刃５が機体進行方向「Ｆ」に対して前方方向に先行して位置しているから、対地の芝草刈り取りに対して刈刃同士は寸法Ｓだけ重合することとなり刈り残しは生じない。
【００２１】
　図１の要部平面図で示す実施例では、左側方駆動軸１０２と中央駆動軸１０１の軸２本は平面視で右回り回転とし、右側方駆動軸１０３のみを左回り回転としている。また、図２の全体平面図や図３の全体側面図で示すように、モーアデッキ１の略平板状の上板２中央上方には、先に述べたように伝動ケース４２が配設されている。該伝動ケース４２の入力軸４３には、センターピボット軸３８後端を突出した作業機駆動用の第二ＰＴＯ軸４０の駆動力を、自在継手４４を介して動力伝動を行なっている。入力軸４３後部と中央駆動軸１０１上部間には一対の傘歯車１０４が備えられており、第二ＰＴＯ軸４０の駆動力が中央駆動軸１０１に伝動されている。
【００２２】
　伝動ケース４２と上板２間の中央駆動軸１０１には、キーやスプライン等の係合具を介して中央プーリ１０５が取り付けられている。また、略平板状の上板２から上方に突出する、左側方駆動軸１０２の軸上部には左側プーリ１０６が係合具を介して取り付けられている。同様に、略平板状の上板２から上方に突出する右側方駆動軸１０３の軸上部には、平歯車１０７が取り付けられている。
【００２３】
　該平歯車１０７は、反転ギヤケース１０８内に内装され右回転する、同歯数の駆動平歯車１０９に噛み合っている。駆動平歯車１０９には、軸１１０が上方に向かって突出しており、軸１１０突出端に右側プーリ１１１が取り付けられている。１１２はテンションプーリであって、同径のＶプーリである中央プーリ１０５と、左側プーリ１０６と、右側プーリ１１１間に駆け廻されたＶベルト１１３の張り方向と張り力を調節している。これらのＶベルト１１３や、中央プーリ１０５と左側プーリ１０６と右側プーリ１１１等の回転プーリの上部と側部は、安全カバー１１４で覆われている。
【００２４】
　図２で示すように、テンションプーリ１１２を、中央プーリ１０５と右側プーリ１１１の接線方向よりも大きく内方に押し込んだ位置に配設しているから、簡単な構成で、中央プーリ１０５と右側プーリ１１１に対するＶベルト１１３の接触面積が増加し伝達伝動力が大きくできる。また、右側プーリ１１１の下部で平歯車１０７，１０９を利用して、右回りのＶベルト１１３の回転方向を確実に左回りとして右側方駆動軸１０３に伝えることができるので、従来のように多くのＶプーリを必要としない単純な構成と成り、コストダウンを図れる。
【００２５】
　各回転刈刃４，５，６はプロペラ状の平板であって、長手方向中央部を夫れ夫れの駆動軸１０２，１０１，１０３に取り付けており、突出平板の回転前方縁に芝草を切断する切刃１１５を有し、回転後方縁に芝草を飛散排出する羽根板１１６を有した一回転に二枚の切刃を設けた構成としている。この回転刈刃を前述したように、中央駆動軸１０１部を進行方向先頭とし、左右方向に三本並べて設けている。また、各駆動軸１０２，１０１，１０３間は前述したように、同一の角速度で駆動するようＶベルト等の回転動力伝達具で連動連結されており、組立て当初は各回転刈刃４，５，６を夫れ夫れ９０度の位相差となるように組付けている。しかし、使用に伴いＶベルト１１３部でのスリップや、図示しない回転刈刃衝撃逃げ機構等でのスリップによって、各回転刈刃４，５，６の刃先位置はバラバラな位置になる。
【００２６】
　図例では、右回転刃を２軸と左回転刃を１軸として、その回転対向部をモーアデッキ１の右側方に偏位させている。そして、この対向部後方の立壁３部に刈草の排草口７を設けている。次に、モーアデッキ１の内部に設けた、刈草案内部について説明する。上板２は略平板状としているので、内面にガイド板がない場合、各回転刈刃４，５，６の先端側に設けた切刃１１５で刈り取って、羽根板１１６で上方に持ち上げた刈取芝草は上板２に接近状に溜り、所定量を越すと自重により地表面に落下するから、芝草の塊が走行後にあちこち不規則に点在し回収や掃除が大変である。
【００２７】
　そこで、図例では、これらの各回転刈刃４，５，６近傍に切断した芝草を案内する外周案内壁を設けている。図１，図４を主体に説明すると、左側方駆動軸１０２下端部の左側方回転刈刃４の回転軌跡と、中央駆動軸１０１下端部の中央回転刈刃５の回転軌跡の前方接線から少し前方へ余裕を持った位置に、天井側に上端部を固定した前案内板９を垂下し、この前案内板９と略等間隔に後案内板１０を同様に垂下して、該垂下した前後案内板９，１０により左側方回転刈刃４と中央回転刈刃５の前部間にわたる上方でモーアデッキ１の上板２下部に、刈草側方搬送路１１を構成した。
【００２８】
　１２０は左側方立壁であって、左側方回転刈刃４の外周囲を覆う立壁であり、その前端部は、前述した前案内板９に接続され、後端部は中央回転刈刃５の外周囲を覆う立壁の一部である中央後立壁１２１と交わった交点部分まで延びている。前述した後案内板１０は下方を回転刈刃が通過するため、所定以上は長くできず図例では上板２と略平行の底板１２３で下面を閉鎖し、交点部１２２以降は暫時上板２側に向かう傾斜面１２３ａとしている。
【００２９】
　中央回転刈刃５と右側方回転刈刃６の回転軌跡前方部には、少しの間隙を有した位置に平面視でＶ字状のＶ型案内板１２を垂下すると共に、該Ｖ型案内板１２の突出先端部１２４を通路の左右方向略中心位置として、デッキ１後方に向かう出口側を左方に振った排草通路１３のための左右案内板１４，１５をデッキ１の天井面側である上板２から垂下している。左右案内板１４，１５の前部は、回転刈刃が通過するため、垂下底面を短くした左右短案内立壁１４ａ，１５ａとしている。
【００３０】
　右側方回転刈刃６の回転軌跡外周には、右側方立壁１２５が刈刃下方まで垂下しており、前端部はＶ型案内板１２に接続され、後端部は右案内板１５に接続している。排草通路１３後端部に位置するモーアデッキ１後方の立壁３部には、排草口７が開口されている。
【００３１】
　排草口７は、背面視横長の四角形状としており、その外周廻り部に、図８で示すようにシュータ１６の入り口側で覆って取り付けている。また、排草口７近傍の上板２部は、後方視で上面を少し上方突出した突部１２６として、草排出を少しでも容易にしようとしている。突部１２６の前縁は、Ｖベルト１１３の下部前方から突出すると邪魔になるので、中央プーリ１０５や左右側プーリ１０６，１１１やＶベルト１１３等を覆う、安全カバー１１４後方部から上方に傾斜突設している。
【００３２】
　図７，図８で示す１２７は出口底板であって、モーアデッキ１後方の立壁３部に開口した排草口７下方に取り付けられており、第一実施例の出口底板１２７である。第一実施例の出口底板１２７は、右側方の軸７９を中心に出口底板１２７が前後揺動可能に取り付けられている。８０は排草口下板であって、前述した背面視横長の四角形状とした排草口７の下面の口板であると共に、その下方で前後揺動する出口底板１２７の、出口近傍左右上面を押さえる案内面ともしている。また、出口底板１２７の揺動先端部は、排草通路１３の左案内板１４下面の下部板８１で受け止めており、軸７９を延長したレバー８２の握り部８３を、バネ８４に逆らって前方移動する際、出口底板１２７の摺動移動を安定させている。
【００３３】
　出口底板１２７の前縁は、中央回転刈刃５と右側方回転刈刃６の回転軌跡に略一致する程度まで伸ばしている。また後縁部は、シュータ１６の外方下部で前後移動する。出口底板１２７の後縁部を、図７仮想線位置まで後方移動すると、図８で示す排草通路１３の後方に詰まった刈り芝や刈草が、下方に自動的に落下し排出される。排草口７の左右両側には側溝８５，８５が開口されており、シュータ１６の取り付けと昇降時の姿勢変更が容易と成っている。
【００３４】
　また、モーアデッキ１の上板２には突部１２６以外に、先に述べた反転ギヤケース１０８下部を形状に沿って浅く凹ましている。その他の上板２部には凹凸を設けていないので、製造しやすい構成のモーアデッキ１と成っている。また、内部の案内板を取り外せば、他のマルチングモーアのデッキにも素材共用化が容易になりコストダウンになる。
【００３５】
　このリヤディスチャージモーア８における、刈り取り芝草の流れを説明すると、機体の前進に伴い最初に中央回転刃５で刈り取った芝草は、Ｖ型案内板１２に沿って即座に排草通路１３に送られる。また、遅れて左側方回転刈刃４で切断する芝草は、刈草側方搬送路１１を経て中央回転刃５で刈り取った芝草と共に、Ｖ型案内板１２に沿って同様に排草通路１３に送られる。また、右側方回転刈刃６で刈り取った芝草は、Ｖ型案内板１２に沿って同様に排草通路１３に送られる。排草通路１３の後端部には出口底板１２７が揺動自在に設けられているので、作業中には水平の出口底板１２７の上面に沿って刈草がシュータ１６内に送り込まれるから、モーアデッキ１下方に刈草が多く吹きだすこともない。また、刈草が排草通路１３の後部で詰まってシュータ１６内に流れないときは、足又は手でレバー８２の握り部８３をバネ８４に逆らって前方移動することにより、詰まった刈草を下方に排出できる。
【００３６】
　図９で示すものは、第二実施例の出口底板１２７ａであって、主フレーム１８に軸着した後リンク４６ａの後突出アーム４６ｂと、出口底板１２７ａの後端アーム８８間を、ターンバックル８７で上下連結することにより、モーアデッキ１１を昇降装置で吊り上げるだけで、後リンク４６ａの動きを利用し、横方向の軸７９ａを中心として、吊り上げ時に出口底板１２７ａ先端を実線で示す位置に下動し、排草口７近傍に詰まった刈草を捨てることができる。
【図面の簡単な説明】
【００３７】
【図１】一部を切断した、モーアの回転刈刃廻りの、平面図である。
【図２】モーアを移動車両に取り付けた状態を示す、全体平面断面図である。
【図３】モーアと収納容器を移動車両に取り付け、モーア下降状態を示す、全体側面図である。
【図４】図１におけるモーアデッキの、Ａ−Ａ断面図である。
【図５】モーアと座席部を上昇した状態を示す、全体側面要部図である。
【図６】シュータ部から後方の、断面正面図である。
【図７】一部を切断したモーアデッキ立壁、排草口廻りの平面図である。
【図８】一部を切断したモーアデッキ立壁、排草口廻りの側面図である。
【図９】モーアデッキ吊り上げ時の、別実施例側面図である。
【符号の説明】
【００３８】
１    モーアデッキ
２    上板
３    立壁
４    左側方回転刈刃
５    中央回転刈刃
６    右側方回転刈刃
７    排草口
８    リヤディスチャージモーア
１３    排草通路
１１４  安全カバー
１２６  突部
１２７  出口底板
【図１】
2004000265.tif 000003
【図２】
2004000265.tif 000004
【図３】
2004000265.tif 000005
【図４】
2004000265.tif 000006
【図５】
2004000265.tif 000007
【図６】
2004000265.tif 000008
【図７】
2004000265.tif 000009
【図８】
2004000265.tif 000010
【図９】
2004000265.tif 000011